(57)【特許請求の範囲】
【請求項１】
遊技に必要な識別情報を変動表示する変動表示手段と、
遊技者が操作可能な操作手段と、
遊技者による前記操作手段の操作に基づいて前記変動表示手段を制御する主制御手段と、
これら手段が設けられた筐体と、を備える遊技機であって、
前記筐体は、キャビネットと、このキャビネットを開閉する前面ドアと、を備え、
前記前面ドアは、前面ドア本体と、この前面ドア本体の裏面に開放可能に設けられた内部ドアと、を備え、
前記主制御手段及び前記変動表示手段は、前記内部ドアに設けられ、
前記内部ドアが前記前面ドア本体の裏面に接した状態で、当該内部ドアを前記前面ドア本体の裏面に固定するストッパーを備え、
前記内部ドアには、前記ストッパーを挿通した状態で回動可能に形成されたストッパー挿通孔が形成され、
前記ストッパーは、前記ストッパー挿通孔に挿通可能なストッパー本体と、このストッパー本体の先端側に設けられ前記前面ドア本体に係止可能な先端側係止部と、このストッパー本体の基端側に設けられ前記内部ドアに係止可能な基端側係止部と、を備え、
前記ストッパー本体には、前記内部ドアに係止可能な前記ストッパー本体から環状に突出した本体係止部が形成され、
前記内部ドアの前記ストッパー挿通孔の近傍には、第１の穴と、第２の穴とが形成され、
前記基端側係止部は、指で保持可能な保持部と、前記保持部に設けられ前記第１の穴又は前記第２の穴に嵌合可能な突出部と、を備え、
前記突出部は、弾性体と、前記弾性体の弾性変形による復元力により前記保持部から前記先端側係止部側に突出して前記第１の穴又は前記第２の穴に嵌合可能な突起部と、を備え、
前記ストッパー挿通孔の内側には、前記ストッパー挿通孔の中心へ向かって突出し、前記本体係止部に係止可能な内部ドア側係止部が形成され、
前記ストッパー本体は、
前記ストッパー本体を回動させて、前記突出部を前記第１の穴に嵌合させることにより、前記内部ドア側係止部を介して前記内部ドアへの係止状態を維持しつつ、前記先端側係止部を介して前記前面ドア本体に係止した状態と、
前記ストッパー本体を回動させて、前記突出部を前記第２の穴に嵌合させることにより、前記内部ドア側係止部を介して前記内部ドアへの係止状態を維持しつつ、前記先端側係止部を介して前記前面ドア本体への係止を解除した状態と、を切り替え可能であることを特徴とする遊技機。
【請求項２】
前記保持部は、前記ストッパー本体と一体に設けられた基部と、前記突出部を挟んだ状態で前記基部に取り付けられる蓋部と、を備えることを特徴とする請求項１に記載の遊技機。
【請求項３】
前記内部ドアには、前記ストッパー挿通孔を囲むように円環状に形成され、前記ストッパーが挿入される方向に向かって突出して形成されたストッパーガイドを備え、
前記ストッパーガイドは、前記ストッパー挿通孔を囲む円周に沿って順に並んだそれぞれ一対の第１ガイド部、第２ガイド部、第３ガイド部及び第４ガイド部に区画され、
前記第１ガイド部及び前記第３ガイド部は、所定の高さで形成され、
前記第４ガイド部は、前記第１ガイド部及び前記第３ガイド部よりもさらに高く形成され、
前記第１の穴は、前記一対の第３ガイド部にそれぞれ設けられ、前記第２の穴は、前記一対の第１ガイド部にそれぞれ設けられていることを特徴とする請求項１又は請求項２に記載の遊技機。
【請求項４】
前記第２ガイド部は、中央が前記第１ガイド部及び前記第３ガイド部よりも低く傾斜した谷状に形成されていることを特徴とする請求項３に記載の遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽籤処理（以下「内部抽籤」という）により役に当籤（以下「内部当籤」という）し、かつその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
ところで、このような遊技機が設置された遊技場では、遊技機の機種交換や修理交換等の作業が、定期的または不定期で行われている。機種交換では、例えば、遊技機を装飾する装飾部材、遊技者が操作する操作部材、及びこれら装飾部材や操作部材等を電気的に制御する制御基板等が交換される。
このため、近年では、機種交換や修理交換において、これら制御基板や操作部材等の構成部材の交換が行われることを予め考慮した遊技機の開発が望まれている。
【０００６】
そこで、例えば、遊技機の筐体の前面側に設けられる部材のうち、複数の部材をまとめてユニット化するとともに、これらユニットが取り付けられる取付領域が形成された扉体基部を設けることにより、ユニットを単位として交換可能に構成された遊技機がある（特許文献１参照）。ここで、これらユニットは、扉体基部の取付領域に、例えば、ビス止めにより取り付けられる。
【０００７】
この特許文献１に示された遊技機によれば、機種交換や修理交換では、作業者は交換が必要な部材を含むユニットのみを交換すればよいので、この交換作業が単純化される。これにより、交換に必要な費用を低減できるとともに、各部材を交換する際の作業効率を向上できる。
【特許文献１】特開２００４−２４３９０号公報
【発明の開示】
【発明が解決しようとする課題】
【０００８】
ところで、機種交換においては、上述のような遊技機の前面側に設けられる部材の他に、遊技機の筐体内部に収容されるリールを交換するため、リールもユニット化し、このリールユニットを扉体基部の取付領域に取り付けることが考えられる。
【０００９】
しかしながら、リールをユニット化し、特許文献１と同様にして、リールユニットをビス止めにより扉体基部に取り付ける場合には、小さなビスで複数箇所に締め付ける必要があるため、作業時間がかかるおそれがあった。また、ビスを締め付ける力が弱い場合には、リールユニットを確実に固定できないおそれもあった。特に、リールは遊技者の操作に応じて回転及び停止を繰り返すため、リールユニットは確実に固定されていることが好ましい。
【００１０】
本発明の目的は、リールユニットの交換を容易にし、かつ、このリールユニットを確実に固定できる遊技機を提供することである。
【課題を解決するための手段】
【００１１】
本発明では、以下のようなものを提供する。
【００１２】
（１）  遊技に必要な識別情報を変動表示する変動表示手段（例えば、後述のリールユニット７３）と、遊技者が操作可能な操作手段（例えば、後述の停止ボタン７Ｌ，７Ｃ，７Ｒ及びスタートレバー６）と、遊技者による前記操作手段の操作に基づいて前記変動表示手段を制御する主制御手段（例えば、後述の主制御ユニット７１）と、これら手段が設けられた筐体（例えば、後述の筐体４）と、を備える遊技機であって、前記筐体は、キャビネット（例えば、後述のキャビネット６０）と、このキャビネットを開閉する前面ドア（例えば、後述の前面ドア２）と、を備え、前記前面ドアは、前面ドア本体（例えば、後述の前面ドア本体２ｂ）と、この前面ドア本体の裏面に開放可能に設けられた内部ドア（例えば、後述のミドルドア４０）と、を備え、前記主制御手段及び前記変動表示手段は、前記内部ドアに設けられ、前記内部ドアが前記前面ドア本体の裏面に接した状態で、当該内部ドアを前記前面ドア本体の裏面に固定するストッパー（例えば、後述のストッパー５３）を備え、前記内部ドアには、ストッパー挿通孔（例えば、後述のストッパー挿通孔８１ａ，８１ｂ，８１ｃ）が形成され、前記ストッパーは、前記ストッパー挿通孔に挿通可能なストッパー本体（例えば、後述のストッパー本体５４）と、このストッパー本体の先端側に設けられ前記前面ドア本体に係止可能な先端側係止部（例えば、後述の先端側係止部５５）と、このストッパー本体の基端側に設けられ前記内部ドアに係止可能な基端側係止部（例えば、後述の基端側係止部５６）と、を備え、前記内部ドアの前記ストッパー挿通孔の近傍には、第１の穴（例えば、後述のドア固定穴８５ａ，８５ｂ）が形成され、前記基端側係止部は、指で保持可能な保持部（例えば、後述の保持部５７）と、前記保持部に設けられ一部（例えば、後述の突出部５８の先端側）が前記保持部から突出して前記第１の穴に嵌合可能な突出部（例えば、後述の突出部５８）と、を備え、前記突出部は、前記保持部から突出した一部に外力が加わっても復元する構造であることを特徴とする遊技機。
【００１３】
（１）記載の遊技機によれば、変動表示手段及び主制御手段が設けられる内部ドアを、前面ドア本体の裏面に、開放可能に設けた。さらに、この内部ドアにストッパー挿通孔を形成し、この内部ドアを前面ドア本体の裏面に固定するストッパーを、ストッパー挿通孔に挿通可能なストッパー本体と、前面ドア本体に係止可能な先端側係止部と、内部ドアに係止可能な基端側係止部と、を含んで構成した。
これにより、ストッパー本体を内部ドアのストッパー挿通孔に挿通して、先端側係止部を前面ドア本体に係止させた状態で、基端側係止部を内部ドアに係止させることによって、内部ドアを前面ドア本体の裏面に固定できる。
【００１４】
また、ストッパーの基端側係止部を、指で保持可能な保持部と、この保持部から一部が突出した突出部と、で形成するとともに、この突出部を、外力が加わっても復元する構造にした。さらに、内部ドアのストッパー挿通孔の近傍に、突出部の一部が嵌合可能な第１の穴を形成した。
上述のようにしてストッパーの基端側係止部を内部ドアに係止させる場合には、作業者は、保持部を指で保持して、この保持部から突出した突出部の一部を、内部ドアの第１の穴に嵌合させる。これにより、内部ドアには、突出部の復元力が前面ドア本体の裏面側に作用し、内部ドアを前面ドア本体の裏面に確実に固定できる。
【００１５】
また、作業者は、保持部を指で保持して、突出部の一部を第１の穴から外すことによって、ストッパーによる上述の固定を容易に解除できる。したがって、ストッパーによる固定を解除して、内部ドアを前面ドア本体から取り外して、この内部ドアを容易に交換できる。
【００１６】
（２）  前記保持部は、前記ストッパー本体と一体に設けられた基部（例えば、後述の基部５７１）と、前記突出部を挟んだ状態で前記基部に取り付けられる蓋部（例えば、後述の蓋部５７２）と、を備えることを特徴とする（１）に記載の遊技機。
【００１７】
（２）記載の遊技機によれば、基端側係止部の保持部を基部と蓋部とで構成し、突出部をこれら基部と蓋部とで挟んだ。
これにより、例えば、基端側係止部の突出部のみが破損した場合には、保持部の基部と蓋部とを分離し、突出部のみを取り出して交換できるので、ストッパーの修理に必要なコストを低減できる。
【００１８】
（３）  前記突出部は、弾性体（例えば、後述の弾性部材５８２）と、この弾性体から外部に向かって延びて前記保持部から突出する突起部（例えば、後述の突起部５８１）と、を備えることを特徴とする（２）に記載の遊技機。
【００１９】
（３）記載の遊技機によれば、突出部を、弾性体と突起部とで構成した。
これにより、突起部及び弾性体を、別々に交換できる。したがって、突起部または弾性体のうち、いずれかが破損した場合には、破損したもののみを交換すればよいので、ストッパーの修理に必要なコストをさらに低減できる。
【００２０】
（４）  前記ストッパー本体には、前記内部ドアに係止可能な本体係止部（例えば、後述の本体係止部５４２）が形成され、前記内部ドアの前記ストッパー挿通孔の近傍には、第２の穴（例えば、後述のストッパー固定穴８４ａ，８４ｂ）がさらに形成され、前記先端側係止部が前記前面ドア本体に係止し、かつ、前記突出部が前記第１の穴に嵌合した状態と、前記本体係止部が前記内部ドアに係止し、かつ、前記突出部が前記第２の穴に嵌合した状態と、を切り替え可能であることを特徴とする（１）から（３）のいずれかに記載の遊技機。
【００２１】
（４）記載の遊技機によれば、ストッパー本体に本体係止部を形成し、ストッパー挿通孔の近傍に第２の穴をさらに形成するとともに、この本体係止部が内部ドアに係止した状態で、基端側係止部を第２の穴に嵌合可能にした。
これにより、ストッパーの本体係止部が内部ドアに係止し、基端側係止部の突出部が第２の穴に嵌合した状態、すなわち、内部ドアが開放可能な状態で、ストッパーを内部ドアに固定することができる。
したがって、作業者は、例えば、内部ドアを開放して作業する場合には、ストッパーの突出部を第２の穴に弾性変形した状態で嵌合させて、ストッパーを内部ドアに固定した状態で作業できる。このように、ストッパーを内部ドアに固定できるので、内部ドアを開放して作業している間に、ストッパーが内部ドアのストッパー挿通孔から抜け落ちることがない。
【００２２】
また、先端側係止部が前面ドア本体に係止し、突出部が第１の穴に嵌合した状態と、本体係止部が内部ドアに係止し、突出部が第２の穴に嵌合した状態とを切り替え可能にした。
したがって、作業者は、ストッパーの姿勢を切り替えることにより、内部ドアを前面ドア本体に固定したり、内部ドアを開放可能にしたりできる。すなわち、作業者は、内部ドアを開放するたびにストッパーを抜き差しする必要がないので、作業性を向上できる。
【発明の効果】
【００２３】
本発明の遊技機によれば、変動表示手段及び主制御手段が設けられる内部ドアを、前面ドア本体の裏面に、開放可能に設けた。さらに、この内部ドアにストッパー挿通孔を形成し、この内部ドアを前面ドア本体の裏面に固定するストッパーを、ストッパー挿通孔に挿通可能なストッパー本体と、前面ドア本体に係止可能な先端側係止部と、内部ドアに係止可能な基端側係止部と、を含んで構成した。これにより、ストッパー本体を内部ドアのストッパー挿通孔に挿通して、先端側係止部を前面ドア本体に係止させた状態で、基端側係止部を内部ドアに係止させることによって、内部ドアを前面ドア本体の裏面に固定できる。
【発明を実施するための最良の形態】
【００２４】
以下、実施例の遊技機について説明する。
【実施例１】
【００２５】
図１は、本発明の実施例１の遊技機１の外観を示す斜視図である。遊技機１は、いわゆる「パチスロ機」である。この遊技機１は、コイン、メダル、遊技球またはトークン等の他、遊技者に付与された、もしくは付与される遊技価値の情報を記憶したカード等の遊技媒体を用いて遊技する遊技機であるが、以下ではメダルを用いるものとして説明する。
【００２６】
遊技機１の全体を形成している筐体４は、箱状のキャビネット６０と、このキャビネット６０を開閉する前面ドア２と、を備える。この前面ドア２正面の略中央には、縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００２７】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２８】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２９】
前面ドア２の裏面には、複数のリール３Ｌ，３Ｃ，３Ｒと、これらリール３Ｌ，３Ｃ，３Ｒを回転駆動するステッピングモータ４９Ｌ，４９Ｃ，４９Ｒと、を収容する後述のリールユニット７３がミドルドア４０を介して設けられている（図２）。なお、前面ドア２の裏面については、後に図２を参照して詳述する。
【００３０】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００３１】
表示窓４Ｌ，４Ｃ，４Ｒの上方には、画像表示手段としての液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数等を表示する。また、スピーカ９Ｌ，９Ｒは、効果音や音声等の音による演出を行う。
【００３２】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００３３】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００３４】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００３５】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３６】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するための操作手段としてのスタートレバー６が所定の角度範囲で回動自在に取り付けられている。
【００３７】
台座部１０の前面部の略中央には、遊技者が操作可能な操作手段としての停止ボタン７Ｌ，７Ｃ，７Ｒが設けられている。これら３個の停止ボタン７Ｌ，７Ｃ，７Ｒは、３個のリール３Ｌ，３Ｃ，３Ｒの回転をそれぞれ停止させるために、遊技者が操作するボタンである。なお、実施例では、一のゲーム（単位遊技）は、基本的にスタートレバー６が操作されることにより開始し、全てのリール３Ｌ，３Ｃ，３Ｒが停止したときに終了する。
【００３８】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３９】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００４０】
図２及び図３を参照して、前面ドア２の裏面の構成について説明する。
図２は、前面ドア２の裏面の構成を示す斜視図である。
図３は、前面ドア２の裏面の構成を示す部分斜視図である。
【００４１】
図２に示すように、前面ドア２は、この前面ドア２の本体を形成する前面ドア本体２ｂと、この前面ドア本体２ｂの裏面に開放可能に設けられた内部ドアとしてのミドルドア４０と、前面ドア本体２ｂに取り付けられたサブベース４２と、を備える。
【００４２】
ミドルドア４０には、主制御手段としての主制御ユニット７１及び変動表示手段としてのリールユニット７３が設けられる。
前面ドア本体２ｂの裏面には、サブベース４２を介して支持される副制御ユニット７２の他、ミドルドア４０を開放可能に支持する支持部４３が設けられている。
【００４３】
支持部４３は、図３に示すように、前面ドア本体２ｂ裏面の図３中右方に取り付けられる。この支持部４３には、ミドルドア４０に設けられる後述の回動軸４０６ｃ，４０６ｄがそれぞれ嵌合する図３中上下方向に延びる円筒状の軸受部４３１ａ，４３１ｂが形成されている。
なお、支持部４３がミドルドア４０を開放可能に支持する機構については、後に詳述する。
【００４４】
図２に示すように、サブベース４２は、板状の部材であり、前面ドア２に設けられた液晶表示部５ａの背面を覆うようにして、前面ドア本体２ｂの裏面に複数のねじ４２１で取り付けられる。サブベース４２は、前面ドア本体２ｂの裏面に対し略平行に取り付けられる。また、サブベース４２の表面のうち、液晶表示部５ａを覆う領域は、略平らに形成されている。
【００４５】
副制御ユニット７２は、図３に示すように、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１と他の装置とを接続するＩ／Ｏ基板７２５と、を備える。
【００４６】
副制御回路７２１は、後述の主制御回路７１１から送信される信号に基づいて液晶表示部５ａを制御する電子回路であり、サブベース４２の略平らに形成された領域のうち、図２中左方の領域に配置される。
すなわち、副制御回路７２１と液晶表示部５ａとは、サブベース４２を挟んで配置され、図示しない複数の配線で接続されている。このように、副制御回路７２１を液晶表示部５ａ裏面の近傍に設けることにより、これらの配線を短縮できる。
【００４７】
ＲＯＭカートリッジ７２３は、副制御回路７２１に接続されるプログラムＲＯＭ及び画像ＲＯＭを備え、これらＲＯＭを副制御回路７２１に着脱自在に取り付けられるように、略立方体上のカートリッジに形成したものである。
【００４８】
副制御回路収容ケース７２２は、略立方体状の箱であり、この副制御回路収容ケース７２２の内部には、副制御回路７２１が収められる。この副制御回路収容ケース７２２表面には、矩形状の開口７２２ａが形成されており、ＲＯＭカートリッジ７２３は、この開口７２２ａを通して副制御回路収容ケース７２２の内部に挿入され、副制御回路７２１に接続される。
【００４９】
Ｉ／Ｏ基板７２５は、副制御回路７２１と他の装置とを電気的に接続する複数のコネクタを備える基板であり、サブベース４２の略平らに形成された領域のうち、図３中右方の領域に配置される。
副制御回路７２１は、主制御回路７１１、液晶表示部５ａ、操作部１７、ＬＥＤ類１０１、ランプ類１０２、スピーカ９Ｌ，９Ｒ、及び音量調節部１０３等の複数の装置と接続される（図５）。これらの接続を、Ｉ／Ｏ基板７２５のコネクタを介して接続することにより、複雑な配線を集約できる。
【００５０】
ミドルドア４０は、略矩形状の部材であり、図３中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００５１】
主制御ユニットベース４０１は、略板状であり、主制御ユニット７１を水平に支持する主制御ユニット支持部４０８と、主制御ユニット支持部４０８の上端に形成されてＲＯＭカバー７２４を覆うプレート４０４と、を備える。
【００５２】
プレート４０４は、板状の部材であり、主制御ユニットベース４０１の上端から、略鉛直方向に延出する。また、このプレート４０４の水平方向の幅は、ＲＯＭカバー７２４の幅よりも広く形成されている。これにより、ミドルドア４０が前面ドア本体２ｂの裏面に接した状態では、プレート４０４はＲＯＭカバー７２４を覆う。
【００５３】
また、主制御ユニット支持部４０８のうち、略中央には、主制御ユニット７１が取り付けられる取付領域が形成されている他、図３中左右両側には、それぞれ、後述のストッパー５３が挿入されるストッパー挿通孔８１ａ，８１ｂ、及びストッパー５３が係止するストッパーガイド８２ａ，８２ｂが形成されている。
なお、これらストッパー挿通孔８１ａ，８１ｂ及びストッパーガイド８２ａ，８２ｂについては、後に図６から図８を参照して、ストッパー５３の構成とともに詳述する。
【００５４】
リールユニットベース４０２は、リールユニット７３を支持するリールユニット支持部４０９と、このリールユニット支持部４０９の図３中左側の端縁に設けられたミドルドア把持部４０７と、リールユニット支持部４０９のミドルドア把持部４０７の反対側の端縁（図３中右側の端縁）に設けられた回動軸部４０６と、を備える。
【００５５】
リールユニット支持部４０９には、前面ドア２に設けられた表示窓４Ｌ，４Ｃ，４Ｒの外縁と略同形のつば４０５が設けられ、これにより略矩形状の開口が形成されている。リールユニット７３は、このつば４０５を介してミドルドア４０に取り付けられる。
【００５６】
回動軸部４０６は、リールユニット支持部４０９から図３中右側方に延びる回動軸腕部４０６ａ，４０６ｂと、これら回動軸腕部４０６ａ，４０６ｂの先端から下方に向かって形成され、上述の軸受部４３１ａ，４３１ｂと嵌合する円柱状の軸４０６ｃ，４０６ｄと、を備える。
この回動軸４０６ｃ，４０６ｄを、それぞれ、軸受部４３１ａ，４３１ｂに上方から挿入して嵌合することにより、ミドルドア４０は、開放可能かつ着脱自在に前面ドア本体２ｂの支持部４３に支持される。このような回動軸４０６ｃ，４０６ｄを設けることにより、作業者は、ミドルドア４０を開放した状態で作業できる。すなわち、作業者は、ミドルドア４０自体に設けられた部材の交換や、ミドルドア４０が前面ドア本体２ｂに接した状態では覆われている部材などの交換を、ミドルドア４０が開いた状態で行うことができる。
【００５７】
ミドルドア把持部４０７は、リールユニット支持部４０９から図３中左側方に延びる把持腕部４０７ａ，４０７ｂと、この把持腕部４０７ａ，４０７ｂの先端同士を連結し凹凸が形成された円柱状の把持部本体４０７ｃと、を備える。
【００５８】
また、リールユニット支持部４０９の図３中下端には、上述のストッパー挿通孔８１ａ，８１ｂ及びストッパーガイド８２ａ，８２ｂと略同形のストッパー挿通孔８１ｃ及びストッパーガイド８２ｃが形成されている。
【００５９】
図４は、これらストッパー挿通孔８１ａ，８１ｂ，８１ｃに挿入されるストッパー５３の構成を示す斜視図である。
ストッパー５３は、略円柱状のストッパー本体５４と、このストッパー本体５４の先端側に設けられた先端側係止部５５と、ストッパー本体５４の基端側に設けられた基端側係止部５６と、を備える。
【００６０】
ストッパー本体５４は、略棒状であり、その外径は、ストッパー挿通孔８１ａ，８１ｂ，８１ｃの内径よりも小さく、その長さは、ミドルドア４０のストッパー挿通孔８１ａ，８１ｂ，８１ｃが形成された部分の厚みよりも長く形成されている。これにより、ストッパー本体５４は、ストッパー挿通孔８１ａ，８１ｂ，８１ｃに挿通可能となっている。
【００６１】
このストッパー本体５４のうち図４中上下側は、その先端から略中央まで平坦に切り欠かれている。これにより、ストッパー本体５４の略中央には、段差部５４１ａ，５４１ｂが形成されている。また、このストッパー本体５４のうち段差部５４１ａ，５４１ｂよりも先端側には、このストッパー本体５４から環状に突出した本体係止部５４２が設けられている。
【００６２】
先端側係止部５５は、略平板状であり、ストッパー本体５４の先端側から、このストッパー本体５４が延びる方向に対して略垂直に設けられている。
【００６３】
基端側係止部５６は、略立方体状であり、上述の先端側係止部５５と略平行にストッパー本体５４の基端側に設けられている。また、この基端側係止部５６の幅は、ストッパー挿通孔８１ａ，８１ｂ，８１ｃの内径よりも長く形成されている。これにより、基端側係止部５６は、ストッパー本体５４をストッパー挿通孔８１ａ，８１ｂ，８１ｃに挿通させた状態で、ミドルドア４０のストッパーガイド８２ａ，８２ｂ，８２ｃに係止可能となっている。
【００６４】
図５は、ストッパー５３の基端側係止部５６の構成を示す分解斜視図である。
基端側係止部５６は、作業者がその両面を指でつまんで保持可能な保持部５７と、この保持部５７から突出した突出部５８と、を備える。
【００６５】
保持部５７は、ストッパー本体５４と一体に設けられた基部５７１と、この基部５７１に取り付けられた蓋部５７２と、を備える。
【００６６】
蓋部５７２の略中央には、孔５７４ａが形成されており、また、基部５７１の略中央には、孔５７４ａに対応した位置にねじ穴５７４ｂが形成されている。すなわち、ねじ５７４を、蓋部５７２の孔５７４ａに挿通して、基部５７１のねじ穴５７４ｂに螺合することで、蓋部５７２は基部５７１に固定される。
また、この蓋部５７２の端部には切欠き５７５が形成されている。作業者は、この切欠き５７５に自身の爪を引っ掛けることにより、蓋部５７２を、基部５７１から容易に取り外すことができる。
【００６７】
基部５７１の内側には、この基部５７１の内部空間を分ける仕切板５７６が設けられている。これにより、基部５７１の内部には、突出部５８が収納される略コ字状の収納部５７７が形成される。また、この収納部５７７のうち、図５中左右両側は、それぞれ、突出部５８の後述の弾性体片５８６ａ，５８６ｂが隙間無く収納される弾性体片収納部５７７ａ，５７７ｂとなっている。
【００６８】
また、基部５７１及び蓋部５７２の先端側係止部５５側の端部のうち、図５中左右両側には、それぞれ、切欠き部５７８ｂ，５７８ａ及び切欠き部５７９ｂ，５７９ａが形成されている。蓋部５７２を基部５７１に取り付けた状態では、基部５７１の切欠き部５７８ａ，５７８ｂは、それぞれ、蓋部５７２の切欠き部５７９ａ，５７９ｂと組合わされて、円形状の孔となる。
また、これら基部５７１及び蓋部５７２の外側の面には、それぞれ、凹凸部５７３が形成されており、これにより、作業者がこの保持部５７を指で保持し易いようになっている。
【００６９】
突出部５８は、この突出部５８の基端側を構成する弾性体としての弾性部材５８２と、この弾性部材５８２から外部に向かって延びて突出部５８の先端側を構成する突起部５８１と、を備える。
【００７０】
突起部５８１は、樹脂で形成されており、突起５８４ａ，５８４ｂと、これら突起５８４ａ，５８４ｂを連結する平板状の連結板５８３と、を含んで構成される。突起５８４ａ，５８４ｂは、それぞれ、連結板５８３の両端側に、この連結板５８３と略垂直に設けられている。また、これら突起５８４ａ，５８４ｂの先端側は、半球状に形成されている。
【００７１】
弾性部材５８２は、立方体状の弾性体片５８６ａ，５８６ｂと、これら弾性体片５８６ａ，５８６ｂを連結する平板状の連結板５８５と、を含んで構成される。弾性部材５８２の連結板５８５と突起部５８１の連結板５８３とは略同形であり、また、弾性体片５８６ａ，５８６ｂは、それぞれ、この連結板５８５の両端側に設けられている。
【００７２】
以上のように構成された基端側係止部５６を組み立てる手順は次のようになる。
まず、突起部５８１の連結板５８３と、弾性部材５８２の連結板５８５とを合わせた状態で、突起部５８１及び弾性部材５８２を、基部５７１の収納部５７７に配置する。具体的には、突起部５８１の突起５８４ａ，５８４ｂを、基部５７１の切欠き部５７８ａ，５７８ｂに配置し、弾性部材５８２の弾性体片５８６ａ，５８６ｂを基部５７１の弾性体片収納部５７７ａ，５７７ｂに配置する。
次に、蓋部５７２を、基部５７１に取り付けて、ねじ５７４で固定する。具体的には、蓋部５７２の切欠き部５７９ａ，５７９ｂを突起５８４ａ，５８４ｂに一致させるとともに、孔５７４ａをねじ穴５７４ｂに一致させながら、突出部５８を挟んだ状態で、蓋部５７２を基部５７１に取り付ける。さらに、ねじ５７４を、蓋部５７２の孔５７４ａから挿入し、基部５７１のねじ穴５７４ｂに螺合することにより、蓋部５７２を基部５７１に固定する。これにより、突出部５８は、その突起５８４ａ，５８４ｂが保持部５７から突出した状態で保持部５７に設けられる。
【００７３】
また、このようにして基端側係止部５６を組み立てることにより、突起５８４ａ，５８４ｂは、保持部５７に対して突没可能となる。具体的には、突起５８４ａ，５８４ｂを押圧して、弾性体片５８６ａ，５８６ｂを弾性体片収納部５７７ａ，５７７ｂ内に弾性変形させることにより、突起５８４ａ，５８４ｂを、保持部５７側に押し込むことができる。また、突起５８４ａ，５８４ｂが、保持部５７側に押し込まれた状態では、これら突起５８４ａ，５８４ｂには、弾性体片５８６ａ，５８６ｂの弾性変形による復元力が先端側係止部５５側に作用する。すなわち、突出部５８は、その突起５８４ａ，５８４ｂに外力が加わっても復元する構造となっている。
【００７４】
以上のように構成されたストッパー５３によれば、基端側係止部５６の保持部５７を、基部５７１と蓋部５７２とに分けて、基端側係止部５６の突出部５８をこれら基部５７１と蓋部５７２とで挟んだ。
これにより、例えば、基端側係止部５６の突出部５８のみが破損した場合には、保持部５７の基部５７１と蓋部５７２とを分離し、突出部５８のみを取り出して交換できるので、ストッパー５３の修理に必要なコストを低減できる。
【００７５】
また、この突出部５８を、突起部５８１と弾性部材５８２とに分けた。
これにより、突起部５８１及び弾性部材５８２を、別々に交換できる。したがって、突起部５８１または弾性部材５８２のうち、いずれかが破損した場合には、破損したもののみを交換すればよいので、ストッパー５３の修理に必要なコストをさらに低減できる。
【００７６】
図６は、主制御ユニット支持部４０８のストッパー挿通孔８１ｂの構成を示す部分斜視図である。以下では、ストッパー挿通孔８１ｂ及びストッパーガイド８２ｂの構成について説明するが、ストッパー挿通孔８１ａ，８１ｃ及びストッパーガイド８２ａ，８２ｃも同様の構成である。
【００７７】
ストッパー挿通孔８１ｂは、キャビネット６０側の面をミドルドア４０の表面として、ミドルドア４０の表裏を貫通する孔であり、上述のストッパー５３のストッパー本体５４を挿通させることができる。すなわち、ストッパー本体５４を、このストッパー挿通孔８１ｂに挿通させた状態で回動させることにより、先端側係止部５５を前面ドア本体２ｂに係止させることができる。
【００７８】
ストッパーガイド８２ｂは、ストッパー挿通孔８１ｂを囲むように円環状に形成され、ミドルドア４０の表面側から、ストッパー５３が挿入される方向に向かって突出している。このストッパーガイド８２ｂは、ストッパー挿通孔８１ｂの上方に形成された上部ガイド部８３Ｕと、下方に形成された下部ガイド部８３Ｄと、を含んで構成される。
【００７９】
上部ガイド部８３Ｕは、ストッパー挿通孔８１ｂを囲む円周のうち、ストッパー挿通孔８１ｂの図６中左方から上方に亘る円弧に沿って形成されている。
具体的には、上部ガイド部８３Ｕは、さらに４つの区間に分けられており、それぞれ、図６中左方から順に第１上部ガイド部８３Ｕａ、第２上部ガイド部８３Ｕｂ、第３上部ガイド部８３Ｕｃ、第４上部ガイド部８３Ｕｄとなっている。
第１上部ガイド部８３Ｕａ及び第３上部ガイド部８３Ｕｃは、所定の高さで形成され、第４上部ガイド部８３Ｕｄは、これら第１上部ガイド部８３Ｕａ及び第３上部ガイド部８３Ｕｃよりもさらに高く形成されている。
また、第２上部ガイド部８３Ｕｂは、谷状となっており、その略中央は、第１上部ガイド部８３Ｕａ及び第３上部ガイド部８３Ｕｃよりも低く形成されている。すなわち、第２上部ガイド部８３Ｕｂは、その略中央から、第１上部ガイド部８３Ｕａ及び第３上部ガイド部８３Ｕｃへ向かって傾斜している。
【００８０】
下部ガイド部８３Ｄは、ストッパー挿通孔８１ｂを囲む円周のうち、ストッパー挿通孔８１ｂの図６中右方から下方に亘る円弧に沿って形成されている。
具体的には、下部ガイド部８３Ｄは、さらに４つの区間に分けられており、それぞれ、図６中右方から順に第１下部ガイド部８３Ｄａ、第２下部ガイド部８３Ｄｂ、第３下部ガイド部８３Ｄｃ、第４下部ガイド部８３Ｄｄとなっている。
第１下部ガイド部８３Ｄａ及び第３下部ガイド部８３Ｄｃは、所定の高さで形成され、第４下部ガイド部８３Ｄｄは、これら第１下部ガイド部８３Ｄａ及び第３下部ガイド部８３Ｄｃよりもさらに高く形成されている。
また、第２下部ガイド部８３Ｄｂは、谷状となっており、その略中央は、第１下部ガイド部８３Ｄａ及び第３下部ガイド部８３Ｄｃよりも低く形成されている。すなわち、第２下部ガイド部８３Ｄｂは、その略中央から、第１下部ガイド部８３Ｄａ及び第３下部ガイド部８３Ｄｃへ向かって傾斜している。
【００８１】
また、以上のように分けられた上部ガイド部８３Ｕ及び下部ガイド部８３Ｄのうち、第１、第３上部ガイド部８３Ｕａ，８３Ｕｃ、第１、第３下部ガイド部８３Ｄａ，８３Ｄｃには、ストッパー５３の突起５８４ａ，５８４ｂの先端側が嵌合する穴が形成されている。
具体的には、第１上部ガイド部８３Ｕａ及び第１下部ガイド部８３Ｄａには、それぞれ、突起８５４ａ，８５４ｂが嵌合可能な第２の穴としてのストッパー固定穴８４ａ，８４ｂが形成されている。
また、第３上部ガイド部８３Ｕｃ及び第３下部ガイド部８３Ｄｃには、それぞれ、突起８５４ａ，８５４ｂが嵌合可能な第１の穴としてのドア固定穴８５ａ，８５ｂが形成されている。
【００８２】
図７は、図６中の線ＶＩＩ−ＶＩＩ断面図であり、ミドルドア４０のストッパー固定穴８４ａ，８４ｂを含む断面図である。
図８は、図６中の線ＶＩＩＩ−ＶＩＩＩ断面図であり、ミドルドア４０のドア固定穴８５ａ，８５ｂを含む断面図である。
また、これら図７及び図８は、ミドルドア４０が前面ドア本体２ｂの裏面に接した状態を示している。
【００８３】
図７及び図８に示すように、ストッパー挿通孔８１ｂの線ＶＩＩ−ＶＩＩに沿った方向の幅、すなわち、ストッパー固定穴８４ａ，８４ｂに沿った方向の幅は、ストッパー５３の先端側係止部５５の幅よりも広く形成されている。また、前面ドア本体２ｂのうち、ミドルドア４０が前面ドア本体２ｂの裏面に接した状態で、このミドルドア側係止部８６と対向する部分は、凹状に形成されて、先端側係止部５５及びミドルドア側係止部８６が挿入される挿入部８９となっている。これにより、ストッパー５３は、その先端側係止部５５をストッパー固定穴８４ａ，８４ｂと平行にして、ストッパー挿通孔８１ｂに挿入可能となる。
【００８４】
また、ストッパー挿通孔８１ｂの内壁のうちドア固定穴８５ａ，８５ｂ側には、それぞれ、ストッパー挿通孔８１ｂと略平行に延びるストッパー固定部８６ａ，８６ｂが形成されている。これらストッパー固定部８６ａ，８６ｂは、それぞれ、ストッパー挿通孔８１ｂと垂直な断面が略半円状であり、ストッパー挿通孔８１ｂの中心を囲っている。
これらストッパー固定部８６ａ，８６ｂの先端側、すなわち、前面ドア本体２ｂ側は、ストッパー挿通孔８１ｂの中心へ向かって突出したミドルドア側係止部８６１ａ，８６１ｂとなっている。これにより、ストッパー５３の本体係止部５４２は、ミドルドア側係止部８６１ａ，８６１ｂに係止可能となる。また、これらストッパー固定部８６ａ，８６ｂには、それぞれ、ストッパー挿通孔８１ｂと略平行に延びるスリット８６２ａ，８６２ｂが形成されている。
【００８５】
また、前面ドア本体２ｂの挿入部８９のドア固定穴８５ａ，８５ｂ側には、それぞれ、前面ドア側係止部８９１ａ，８９１ｂが形成されている。これら前面ドア側係止部８９１ａ，８９１ｂは、それぞれ、ストッパー挿通孔８１ｂと垂直な断面が略半円状である。これにより、ストッパー５３の先端側係止部５５の両端側は、前面ドア側係止部８９１ａ，８９１ｂに係止可能となる。
【００８６】
次に、ストッパー５３をミドルドア４０に固定し、さらに、このストッパー５３でミドルドア４０を前面ドア本体２ｂに固定する手順について説明する。
図９及び図１０は、それぞれ、図６中の線ＶＩＩ−ＶＩＩ及び線ＶＩＩＩ−ＶＩＩＩ断面図であり、ストッパー５３をミドルドア４０に固定した状態を示す図である。
図１１は、図６中の線ＶＩＩＩ−ＶＩＩＩ断面図であり、ストッパー５３でミドルドア４０を前面ドア本体２ｂに固定した状態を示す図である。
【００８７】
図６に戻って、まず、ストッパー５３を、ストッパー固定穴８４ａ，８４ｂと平行にしながらストッパー挿通孔８１ｂに挿入し、ストッパー５３をミドルドア４０に固定する。
具体的には、ストッパー５３をストッパー挿通孔８１ｂに挿入し、ストッパー本体５４の本体係止部５４２をミドルドア側係止部８６１ａ，８６１ｂに係止させるとともに、基端側係止部５６の突起８５４ａ，８５４ｂをストッパー固定穴８４ａ，８４ｂに嵌合させる。
すなわち、図９及び図１０に示すような状態にする。これにより、ストッパー５３がミドルドア４０に固定されたストッパー固定状態となる。より具体的には、このストッパー固定状態においては、本体係止部５４２がミドルドア側係止部８６１ａ，８６１ｂに係止しつつ、弾性体片５８６ａ，５８６ｂの弾性変形による復元力が突起５８４ａ，５８４ｂを介してミドルドア４０に作用する。これにより、ストッパー５３は、そのストッパー本体５４がストッパー挿通孔８１ｂに挿通した状態で、ミドルドア４０に固定される。
ここで、上述のストッパー固定状態では、ストッパー５３の先端側係止部５５は、前面ドア本体２ｂに係止していないため、ミドルドア４０を、前面ドア本体２ｂに接した状態にしたり、開放したりできる。また、ストッパー５３はミドルドア４０に固定されているため、ミドルドア４０を動かしてもストッパー５３がストッパー挿通孔８１ｂから抜け落ちることがない。
【００８８】
次いで、ミドルドア４０を前面ドア本体２ｂに接した状態にして、ミドルドア４０のストッパー挿通孔８１ｂと、前面ドア本体２ｂの挿入部８９とを一致させる。
【００８９】
次いで、ストッパー５３を、ストッパーガイド８２ｂに沿って、図６中時計回りに略９０°回動させる。
具体的には、突起５８４ａ，５８４ｂを、それぞれ、第２上部ガイド部８３Ｕｂ及び第２下部ガイド部８３Ｄｂに沿わせながら、ストッパー５３を回動させる。
ここで、上述のように第２上部ガイド部８３Ｕｂ及び第２下部ガイド部８３Ｄｂは、それぞれ、谷状に傾斜して形成されている。すなわち、突起８５４ａ，８５４ｂを第２上部ガイド部８３Ｕｂ及び第２下部ガイド部８３Ｄｂに沿わせながらストッパー５３を回動する間、これら第２上部ガイド部８３Ｕｂ及び第２下部ガイド部８３Ｄｂの傾斜に合わせて、突起８５４ａ，８５４ｂは復元することとなる。このようにして、作業者は、ストッパー５３をストッパーガイド８２ｂに沿って回動させやすくなっている。
【００９０】
次いで、ストッパー５３を、ドア固定穴８５ａ，８５ｂに一致させて、ミドルドア４０を前面ドア本体２ｂの裏面に固定する。
具体的には、先端側係止部５５の両端側を前面ドア側係止部８９１ａ，８９１ｂに係止させるとともに、基端側係止部５６の突起５８４ａ，５８４ｂをドア固定穴８５ａ，８５ｂに嵌合させる。
すなわち、図１１に示すような状態にする。これにより、ミドルドア４０が前面ドア本体２ｂの裏面に固定されたドア固定状態となる。より具体的には、このドア固定状態においては、先端側係止部５５が前面ドア側係止部８９１ａ，８９１ｂに係止しつつ、弾性体片５８６ａ，５８６ｂの弾性変形による復元力が突起５８４ａ，５８４ｂを介してミドルドア４０に作用する。これにより、ミドルドア４０は、前面ドア本体２ｂの裏面に確実に固定される。
【００９１】
以上のようにして、ストッパー５３により、ミドルドア４０が前面ドア本体２ｂに接した状態で、このミドルドア４０を前面ドア本体２ｂの裏面に固定できる。また、この手順を、ストッパー挿通孔８１ａ，８１ｃに対しても同様に行うことにより、ミドルドア４０を前面ドア本体２ｂの裏面により確実に固定できる。
【００９２】
また、ストッパー本体５４がストッパー挿通孔８１ｂに挿通した状態では、ストッパー５３の姿勢を切り替えることにより、上述のドア固定状態と、ストッパー固定状態とを切り替え可能である。
具体的には、上述のように、ストッパー５３を、ストッパーガイド８２ｂに沿って略９０°回動させることにより、ドア固定状態にしたり、ストッパー固定状態にしたりできる。
これにより、作業者は、ミドルドア４０を開放するたびにストッパー５３を抜き差しする必要がないので、作業性を向上できる。
【００９３】
また、上述のように、ストッパーガイド８２ｂのうち、第２上部ガイド部８３Ｕｂ及び第２下部ガイド部８３Ｄｂは、それぞれ、谷状に形成されているため、ストッパー５３の姿勢の切り替えが容易となっている。
これにより、作業者によるストッパー５３の姿勢の切り替え操作が容易となり、作業性をさらに向上できる。
【００９４】
また、上述のように、ストッパーガイド８２ｂのうち、第４上部ガイド部８３Ｕｄ及び第４下部ガイド部８３Ｄｄは、最も高く形成されている。これにより、ストッパー５３の、ストッパーガイド８２ｂに沿った回動角度を制限している。
すなわち、突起５８４ａ，５８４ｂがストッパー固定穴８４ａ，８４ｂに嵌合した状態から、このストッパー５３を図６中反時計回りに回動させても、基端側係止部５６の保持部５７が第４上部ガイド部８３Ｕｄ及び第４下部ガイド部８３Ｄｄに当接するため、この回動は規制される。
また、突起５８４ａ，５８４ｂがドア固定穴８５ａ，８５ｂに嵌合した状態から、このストッパー５３を図６中時計回りに回動させても、基端側係止部５６の保持部５７が第４上部ガイド部８３Ｕｄ及び第４下部ガイド部８３Ｄｄに当接するため、この回動も規制される。
したがって、作業者によるストッパー５３の姿勢の切り替え操作がさらに容易となり、作業性を向上できる。
【００９５】
図３に戻って、主制御ユニット７１は、副制御ユニット７２やリールユニット７３等を制御する主制御回路７１１と、この主制御回路７１１とリールユニット７３や電源ユニット等とを電気的に接続する主制御コネクタ７１３と、主制御回路７１１を収容しミドルドア４０の主制御ユニット支持部４０８に取り付けられる主制御回路収容ケース７１２と、主制御コネクタ７１３を開閉自在に覆う主制御コネクタカバー７１４と、を備える。
【００９６】
主制御回路７１１は、遊技者による停止ボタン７Ｌ，７Ｃ，７Ｒやスタートレバー６等の操作に基づいてリールユニット７３を制御する電子回路である。なお、この主制御回路７１１の回路の構成については、後に図１２を参照して詳述する。
【００９７】
主制御コネクタ７１３は、主制御回路７１１から引出された図示しない配線と、上述の副制御回路７２１、及び電源ユニット等から引出された図示しない配線とを接続するコネクタである。
【００９８】
主制御回路収容ケース７１２は、略立方体状の収容容器であり、図３中右側の端部には図示しない開放部が形成されている。この主制御回路収容ケース７１２には、主制御回路７１１が収容され、上述の開放部が形成された位置には、主制御コネクタ７１３が、この開放部から露出するように配置されている。また、開放部が形成された端部には、主制御コネクタカバー７１４が開閉自在に設けられている。
【００９９】
リールユニット７３は、円筒状の複数のリール３Ｌ，３Ｃ，３Ｒと、これらリール３Ｌ，３Ｃ，３Ｒを回転駆動するステッピングモータ４９Ｌ，４９Ｃ，４９Ｒ（図１２）と、これらリール３Ｌ，３Ｃ，３Ｒ及びステッピングモータ４９Ｌ，４９Ｃ，４９Ｒを収容するリールボックス７３１と、を備える。
【０１００】
リールボックス７３１は、箱状の収容容器である。このリールボックス７３１の前面には、リールユニットベース４０２のつば４０５と略同形のつば７３２が形成されており、これにより開放面が形成される。各リール３Ｌ，３Ｃ，３Ｒは、この開放面に対して略垂直にして、リールボックス７３１に収納される。また、これらリール３Ｌ，３Ｃ，３Ｒには、それぞれ、回転軸と同軸にしてステッピングモータ４９Ｌ、４９Ｃ，４９Ｒが取り付けられている。
このように構成されたリールユニット７３は、つば７３２をリールユニットベース４０２のつば４０５に合わせた状態で、図示しないねじで締め付けることにより取り付けられる。
【０１０１】
図１２は、遊技機１における遊技処理動作を制御する主制御回路７１１と、主制御回路７１１に電気的に接続する周辺装置（アクチュエータ）と、主制御回路７１１から送信される制御指令に基づいて液晶表示部５ａ、スピーカ９Ｌ，９Ｒ、ＬＥＤ類１０１及びランプ類１０２を制御する副制御回路７２１とを含む回路構成を示すブロック図である。
【０１０２】
主制御回路７１１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【０１０３】
ＣＰＵ３１には、基準クロックパルスを発生するクロックパルス発生回路３４及び分周器３５と、サンプリングされる乱数を発生する乱数発生器３６及びサンプリング回路３７とが接続されている。なお、乱数サンプリングのための手段として、マイクロコンピュータ３０内で、すなわちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【０１０４】
マイクロコンピュータ３０のＲＯＭ３２には、スタートレバー６を操作（スタート操作）する毎に行われる乱数サンプリングの判定に用いられる内部抽籤テーブル、停止ボタンの操作に応じてリールの停止態様を決定するための停止テーブル群、副制御回路７２１へ送信するための各種制御指令（コマンド）等が格納されている。副制御回路７２１が主制御回路７１１へコマンド、情報等を入力することはなく、主制御回路７１１から副制御回路７２１への一方向で通信が行われる。ＲＡＭ３３には、種々の情報が格納される。例えば、フラグ、内部当籤役、持越役、現在の遊技状態の情報等が格納される。
【０１０５】
図１２の回路において、マイクロコンピュータ３０からの制御信号により動作が制御される主要なアクチュエータとしては、ＢＥＴランプ（１−ＢＥＴランプ９ａ、２−ＢＥＴランプ９ｂ、最大ＢＥＴランプ９ｃ）と、情報表示部１８と、メダルを収納し、ホッパー駆動回路４１の命令により所定枚数のメダルを払出すホッパー（払出しのための駆動部を含む）６７と、リール３Ｌ，３Ｃ，３Ｒを回転駆動するステッピングモータ４９Ｌ，４９Ｃ，４９Ｒと、がある。
【０１０６】
また、ステッピングモータ４９Ｌ，４９Ｃ，４９Ｒを駆動制御するモータ駆動回路３９、ホッパー６７を駆動制御するホッパー駆動回路４１、ＢＥＴランプ９ａ，９ｂ，９ｃを駆動制御するランプ駆動回路４５、及び情報表示部１８を駆動制御する表示部駆動回路６１がＣＰＵ３１の出力部に接続されている。これらの駆動回路は、それぞれＣＰＵ３１から出力される駆動指令等の制御信号を受けて、各アクチュエータの動作を制御する。
【０１０７】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、メダルセンサ２２Ｓ、リール停止信号回路４６、リール位置検出回路５０、払出完了信号回路５１がある。
【０１０８】
スタートスイッチ６Ｓは、スタートレバー６の操作を検出し、遊技開始指令信号を出力する。メダルセンサ２２Ｓは、メダル投入口２２に投入されたメダルを検出する。リール停止信号回路４６は、各停止ボタン７Ｌ，７Ｃ，７Ｒの操作に応じて停止信号（停止指令信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー６７から払出されたメダルの枚数）が指定された枚数データに達した時、メダル払出完了を検知するための信号を発生する。
【０１０９】
図１２の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている内部抽籤テーブル等に基づいて内部当籤役等が決定される。内部当籤役（内部当籤役データ）は、その内部当籤役に対応する停止制御の態様等を介して、対応する図柄組合せと遊技者に付与される利益とが間接的に対応づけられているといえる。
【０１１０】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【０１１１】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【０１１２】
さらに、ＲＯＭ３２内には、図柄組合せテーブルが格納されている。この図柄組合せテーブルでは、役に対応する図柄の組合せと、図柄の組合せに対応するメダル配当枚数と、その判定コードとが対応づけられている。上記の図柄組合せテーブルは、左のリール３Ｌ、中央のリール３Ｃ、右のリール３Ｒの停止制御時、及び全リール３Ｌ，３Ｃ，３Ｒの停止後の表示役の確認を行う場合に参照される。表示役は、表示ラインに沿って並ぶ図柄組合せに対応する役（成立役）である。
【０１１３】
上記乱数サンプリングに基づく抽籤処理（内部抽籤処理等）に基づいて、ＣＰＵ３１は、遊技者が停止ボタン７Ｌ，７Ｃ，７Ｒを操作したタイミングでリール停止信号回路４６から送られる操作信号、及び選択された停止テーブルに基づいて、リール３Ｌ，３Ｃ，３Ｒを停止制御する信号をモータ駆動回路３９に送る。
【０１１４】
当籤した役を示す停止態様となれば、ＣＰＵ３１は、払出指令信号をホッパー駆動回路４１に供給してホッパー６７から所定個数のメダルの払出を行う。その際、メダル検出部４０Ｓは、ホッパー６７から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー６７の駆動を停止し、メダル払出処理を終了する。
【実施例２】
【０１１５】
図１３を参照して、実施例２の遊技機について説明する。
なお、以下の実施例２の説明にあたって、実施例１と同一構成要件については同一符号を付し、その説明を省略もしくは簡略化する。
【０１１６】
図１３は、ストッパー５３Ａの基端側係止部５６Ａの構成を示す分解斜視図である。
本実施例では、ストッパー５３Ａの基端側係止部５６Ａの構成が実施例１と異なる。具体的には、基端側係止部５６Ａの突出部５８Ａの構成が実施例１と異なる。
【０１１７】
突出部５８Ａは、突出部５８Ａの先端側を構成する突起部５８１Ａと、基端側を構成し突起部５８１Ａを支持する弾性部材５８２Ａと、に分離可能である。
【０１１８】
突起部５８１Ａは、樹脂で形成された２つの突起５８４Ａａ，５８４Ａｂを含んで構成され、弾性部材５８２Ａは、立方体状の弾性体で形成された２つの弾性体片５８６Ａａ，５８６Ａｂを含んで構成される。
すなわち、突起部５８１Ａの突起５８４Ａａ，５８４Ａｂ及び弾性体片５８６Ａａ，５８６Ａｂは、それぞれ連結板で連結されていない点が、実施例１の突起部５８１と異なる。
【０１１９】
以上、実施例について説明したが、本発明はこれに限られるものではない。
【図面の簡単な説明】
【０１２０】
【図１】遊技機の外観を示す斜視図である（実施例１）。
【図２】前面ドアの裏面の構成を示す斜視図である（実施例１）。
【図３】前面ドアの裏面の構成を示す部分斜視図である（実施例１）。
【図４】ストッパーの構成を示す斜視図である（実施例１）。
【図５】ストッパーの基端側係止部の構成を示す斜視図である（実施例１）。
【図６】主制御ユニット支持部のストッパー挿通孔の構成を示す部分斜視図である（実施例１）。
【図７】図６中の線ＶＩＩ−ＶＩＩ断面図である（実施例１）。
【図８】図６中の線ＶＩＩＩ−ＶＩＩＩ断面図である（実施例１）。
【図９】図６中の線ＶＩＩ−ＶＩＩ断面図であり、ストッパーをミドルドアに固定した状態を示す図である（実施例１）。
【図１０】図６中の線ＶＩＩＩ−ＶＩＩＩ断面図であり、ストッパーをミドルドアに固定した状態を示す図である（実施例１）。
【図１１】図６中の線ＶＩＩＩ−ＶＩＩＩ断面図であり、ストッパーでミドルドアを前面ドア本体に固定した状態を示す図である（実施例１）。
【図１２】回路構成を示すブロック図である（実施例１）。
【図１３】ストッパーの基端側係止部の構成を示す斜視図である（実施例２）。
【符号の説明】
【０１２１】
１      遊技機
２      前面ドア
２ｂ    前面ドア本体
４      筐体
６    スタートレバー（操作手段）
７Ｌ，７Ｃ，７Ｒ    停止ボタン（操作手段）
４０    ミドルドア（内部ドア）
５３    ストッパー
５４    ストッパー本体
５４２    本体係止部
５５    先端側係止部
５６    基端側係止部
５７    保持部
５７１    基部
５７２    蓋部
５８    突出部
５８１    突起部
５８３    連結板
５８４ａ，５８４ｂ    突起
５８２    弾性部材（弾性体）
５８５    連結板
５８６ａ，５８６ｂ    弾性体片
６０    キャビネット
７１    主制御ユニット（主制御手段）
７３    リールユニット（変動表示手段）
８１ａ，８１ｂ，８１ｃ    ストッパー挿通孔
８２ａ，８２ｂ，８２ｃ    ストッパーガイド
８３Ｕ    上部ガイド
８３Ｄ    下部ガイド
８４ａ，８４ｂ    ストッパー固定穴（第２の穴）
８５ａ，８５ｂ    ドア固定穴（第１の穴）
８６ａ，８６ｂ    ストッパー固定部
８６１ａ，８６１ｂ    ミドルドア側係止部
８９    挿入部
８９１ａ，８９１ｂ    前面ドア側係止部
【図１】
0004474385.tif 000002
【図２】
0004474385.tif 000003
【図３】
0004474385.tif 000004
【図４】
0004474385.tif 000005
【図５】
0004474385.tif 000006
【図６】
0004474385.tif 000007
【図７】
0004474385.tif 000008
【図８】
0004474385.tif 000009
【図９】
0004474385.tif 000010
【図１０】
0004474385.tif 000011
【図１１】
0004474385.tif 000012
【図１２】
0004474385.tif 000013
【図１３】
0004474385.tif 000014